(57)【要約】      （修正有）【課題】軽量で運搬が容易であり、パネル同士の組立が容易で、組立て精度のよい軽量鉄筋コンクリートプレハブ住宅の構造の提供。【解決手段】２つの対称形の矩形の部材をＬ字状に接合して成る部材１１、１２、１３を複数段積み上げて構築され、梁部材２１は水平方向の通しボルトで前記柱部材の最上段１１の側方に接合され、水平部材３１、３２は前記柱部材の最上段１１の上面及び前記梁部材２１の上面に敷き詰められ、前記水平部材の大多数３１は垂直方向の通しボルトで前記梁部材２１に接合され、前記水平部材の残り３１、３２は前記柱部材の少なくとも上から２段目１１、１２までを垂直方向に貫通する通しボルトによって３部材３１、３２、１１、１２以上が一体となって接合されることを特徴としている。【選択図】図１
2005213748.tif 000002
【特許請求の範囲】
【請求項１】
軽量鉄筋コンクリートで作られた複数の柱部材と複数の梁部材と複数の水平部材とから構成される柱部分と梁部分と水平部分とよりなる軽量鉄筋コンクリートプレハブ住宅の構造において、前記柱部分は1辺の全長に亙って４５度に傾斜する開先面を有する2つの対称形の矩形の部材を組立ての際にシアコッターによってＬ字状に接合して成る柱部材を複数段積み上げることにより構築され、前記梁部材は水平方向に配置された通しボルトで前記柱部材の最上段の側方に接合され、前記水平部材は前記柱部材の最上段の上面及び前記梁部材の上面に敷き詰められ、前記水平部材の大多数は垂直方向に配置された通しボルトで前記梁部材に接合されて、前記水平部材の残りは前記柱部材の少なくとも上から２段目までを垂直方向に貫通する通しボルトによって上下に３部材以上が一体となって接合されることを特徴とする軽量鉄筋コンクリートプレハブ住宅の構造。
【請求項２】
前記複数の柱部材と複数の梁部材と複数の水平部材は、何れも周囲４辺に連続するリブが形成されており、単体の質量の値は人力を含む軽微な揚重機具で持ち運べる値以下である請求項１の軽量鉄筋コンクリートプレハブ住宅の構造。
【請求項３】
前記柱部材を形成するにあたり、下段側の上方に上段側を積み上げる際に、固定補助金物を位置決めとして用いることを特徴とする請求項１又は請求項２の軽量鉄筋コンクリートプレハブ住宅の構造。
【発明の詳細な説明】
【技術分野】
【０００１】
本発明は、軽量鉄筋コンクリートで作られた柱部材と梁部材と水平部材とから構成される柱部分と梁部分と水平部分とよりなる軽量鉄筋コンクリートプレハブ住宅の構造に関する。
【背景技術】
【０００２】
近年、大量生産によるコスト低減と工期の短縮に加えて、耐火構造で且つ地震等に対する耐震性の向上を意図したプレハブ工法による軽量鉄筋コンクリート製の住宅の需要が多い。
上記プレハブ工法は、内部に補強鉄筋を配筋し、各ハウスメーカ毎に規格化した寸法のコンクリートパネルを工場において生産し、そのコンクリートパネルを建築現場において、所定の接続部材、或いは接合剤を用いて組立てていく工法であることはよく知られている。
【０００３】
特に、日本国内においては生活の向上志向によって、各部屋、或いはモジュールの大型化、および消費者の設備の充実に対する要望の高まりと共に住宅が大型化しつつある。各部屋の大型化に伴い、使用されるコンクリートパネルも必然で大型化の道を歩んでいる。
コンクリートパネルの大型化、すなわち、コンクリートパネルの質量の増加によって、運搬、或いは建築現場でのパネル組立てにはクレーン等の重機の使用は避けられないものとなってきている。
【０００４】
一方、開発途上国や、日本国内でも足場の悪い、或いは狭矮な建築現場においては、人力による運搬も可能で、且つ、パネル組立てに際しては、クレーン等の重機の使用に拠らないで行えるような軽量で、組立ての容易なコンクリートパネル及びその組立て工法が求められている。
【０００５】
そうした要望に応えるような軽量鉄筋コンクリートプレハブ住宅の構造が提案されている（例えば、非特許文献1参照）。  
【０００６】
然るに、上記技術では特に柱部分を構成するＬ字状の柱部材の製造が複雑で、特に内部の補強鉄筋の配筋が難しく、且つ、Ｌ字状を成すために運搬・移動の際には嵩張って運搬効率を低下させてしまうという問題を抱えている。
【非特許文献１】日本大学理工学部  学術講演会論文集「コンクリート系複合材料の開発と住宅建設への応用に関する研究」、（副題「その２.設計・計画について」
【発明の開示】
【発明が解決しようとする課題】
【０００７】
本発明は上述した従来技術の問題点に鑑みて提案されたものであり、製造が容易で強度的に優れ、軽量で運搬効率が高く、組立てに際しては、クレーン等の重機の使用を必要とせず、且つ、パネル同士の組立が容易で、組立て精度のよい軽量鉄筋コンクリートプレハブ住宅の構造の提供を目的としている。
【課題を解決するための手段】
【０００８】
本発明によれば、軽量鉄筋コンクリート製の、複数の柱部材（１１、１２、１３）と複数の梁部材（２１）と複数の水平部材（３１、３２）とから構成される柱部分（１）と梁部分（２）と水平部分（３）とよりなる軽量鉄筋コンクリートプレハブ住宅の構造において、前記柱部分（１）は1辺の全長に亙って４５度に傾斜する開先面を有する２つの対称形の矩形の部材（パネル；１１Ａ、１１Ｂ、１２Ａ、１２Ｂ、１３Ａ）を組立ての際にシアコッター（１１ｄ、１２ｄ、１３ｄ）によってＬ字状に接合して成る柱部材（１１、１２、１３）を複数段積み上げることにより構築され、前記梁部分（２）は前記梁部材（２１）を水平方向に配置された通しボルト（Ｂｈ１）で前記柱部材の最上段（１１）の側方に接合され、前記水平部分（３）は前記水平部材（３１、３２）を前記柱部材の最上段（１１）の上面及び前記梁部材（２１）の上面に敷き詰められて、前記水平部材の大多数（３１）は垂直方向に配置された通しボルト（Ｂｖ３）で前記梁部材（２１）に接合され、前記水平部材の残り（３１、３２）は前記柱部材の少なくとも上から２段目（１１、１２）までを垂直方向に貫通する通しボルト（Ｂｖ２）によって上下に３部材（３１、３２、１１、１２）以上が一体となって接合される（請求項１）。
【０００９】
前記複数の柱部材（１１、１２、１３）と複数の梁部材（２１）と複数の水平部材（３１、３２）は、何れも周囲４辺に連続するリブ（１１ｒ、１２ｒ、１３ｒ、２１ｒ、３１ｒ、３２ｒ）が形成されており、単体の質量の値は人力又は軽微な揚重機具で持ち運べる値以下である（請求項２）。
【００１０】
また、本発明の軽量鉄筋コンクリートプレハブ住宅の構造は、前記柱部材（１１、１２、１３）を形成するにあたり、下段側（１３）の上方に上段側を積み上げる際に、固定補助金物（Ｇ）を位置決めとして、また、面外座屈止めとして用いるようになっている（請求項３）。
【発明の効果】
【００１１】
係る構成を具備する本発明によれば、各水平部材間がシアコッター（３１ｍ）によって強固に結束され、地震等の外力が各柱部材に均等に分配され、各柱部材は十分な耐力を発揮する。
【００１２】
外力が作用した際に、特に応力の集中する柱部材（１１）と梁部材（２１）の交差する隅角部は柱部材（１１、１２）と屋根や床等の水平部材（３１、３２）の３つ以上の部材を１本の通しボルト（Ｂｖ２）によって拘束することで、隅角部の局部的な破壊を防いでいる。
【００１３】
各部材の単体（パネル）の質量は人力又は軽微な揚重機具で持ち運べる値以下であるので、運搬や組立てに際してはクレーン等の重機を使用しなくてもよい。
【００１４】
柱部材（１１、１２、１３）を形成するにあたり、下段側の上方に上段側を積み上げる際に、固定補助金物（Ｇ）を位置決めとして用いているため、組立が容易であるとともに組立て精度が向上する。
【発明を実施するための最良の形態】
【００１５】
以下、添付図面を参照して、本発明の実施形態について説明する。
【００１６】
先ず、図１及び図２を参照して、軽量鉄筋コンクリートプレハブ住宅（以降、「軽量鉄筋コンクリートプレハブ住宅」を、単に「プレハブ住宅」と略記する）の、例えば居間等のメインセル１００の構成について説明する。
ここで、図１はメインセル１００全体の構成を示した斜視図であり、図２は、構成の基本となるメインセルの１面を示した正面図である。図１に示す基礎は梁部分と同じ構成で作ることができる。
【００１７】
メインセル１００は、４隅に配置された４本の柱部分１と、隣り合うその柱部分１の上端部を結ぶ梁部分２と、屋根及び床を形成する水平部分３とを有している。
【００１８】
前記柱部分１は、１箇所（１隅）につき、図示の例では最上段の第１の柱部材１１と、２段目の第２の柱部材１２と、それ以下の第３の柱部材１３（３段）の３種５段の柱部材で構成されている。
【００１９】
梁部分２は、部屋の１壁面においては、共通の梁部材２１を横方向に２つ接続して構成される（図２も参照）。
【００２０】
屋根、及び床を形成する水平部分３は、図２に示すように、屋根及び床の両端部を除く複数（図示の例では、１屋根、又は１床当り１０本）の第１の水平部材３１とその第１の水平部材３１を挟みつける１対の第２の水平部材３２とで構成される。
また、前記第１の水平部材３１および第２の水平部材３２は、１部屋当り、対向する２箇所の前記梁部材２１の上端及び、その梁部材２１の両側部の前記第１の柱部材１１の上端を橋渡しするように連続して敷き詰められる。
【００２１】
第１の柱部材１１は、図６に示すように、１箇所の隅が４５度に開先された２枚の共通の柱部材１１Ａと１１Ｂ（１１Ａと１１Ｂとは共通部材であるが便宜上符号を変えている）とをその開先面１１ｆにおいて接合されて一体に構成されている。
【００２２】
柱部材１１Ａを、図５及び図６を参照して更に詳しく説明すると、部屋の内面側に相当する面１１Ａｏには上下左右の外縁に薄肉のリブ１１ｒが形成され、そのリブ１１ｒを除く領域が、底が平な窪み部１１ａとなっている。
【００２３】
その窪み部１１ａの前記開先面１１ｆと反対側のリブ１１ｒの垂直面の図５における上下のコーナー部に垂直のボルト座面１１ｖが左方に迫り出すように形成されている。
【００２４】
一方、前記開先面１１ｆ側のリブ１１ｒの図５における上下のコーナー部には、夫々上下方向で中心に近づくように迫り出した水平のボルト座面１１ｈが形成されている。
【００２５】
前記２箇所の垂直のボルト座面１１ｖにはそれぞれ水平方向にリブ１１ｒを貫通するようにボルト挿通孔１１ｂが形成されている。
【００２６】
また、前記２箇所の水平のボルト座面１１ｈには同一位置で上下にリブ１１ｒを貫通するボルト挿通孔１１ｃが形成されている。
【００２７】
前記開先面１１ｆには中央部に開先面に沿って所定の深さのシアコッター用溝部１１ｄが形成されている。
【００２８】
第２の柱部材１２（立体形状としては図８の斜視図参照）は、詳細を図１０及び図１１に示すように、１辺が４５度に開先された２枚の左右対称形の柱部材（パネル）１２Ａと柱部材パネル１２Ｂ（立体形状としては図７の斜視図参照）とをその開先面１２Ａｆ、１２Ｂｆにおいて接合して一体に構成されている。
【００２９】
パネル１２Ａを、図１０を参照して更に詳しく説明すると、部屋の内面側に相当する面に上下左右の外縁には薄肉のリブ１２ｒが形成され、そのリブ１２ｒを除く領域が、底が平な窪み部１２ａとなっている。
【００３０】
その窪み部１２ａの前記開先面１２Ａｆ側のリブ１２ｒの図１０における上下の水平面のコーナー部に水平のボルト座面１２ｈ、１２ｈが上下の中央部に向って迫り出すように形成されている。
一方、前記開先面１２Ａｆの反対側のリブ１２ｒの図１０における上下の水平面のコーナ部に水平のボルト座面１２ｈｔ、１２ｈｂが上下の中央部に向って迫り出すように形成されている。
【００３１】
前記開先面１２Ａｆ側の２箇所の水平ボルト座面１２ｈには同一位置で上下にリブ１２ｒを貫通するボルト挿通孔１２ｃが形成されている。
【００３２】
また、前記開先面１２Ａｆの反対側のリブ１２ｒの上側座面１２ｈｔにはボルト挿通孔１２ｃｔが形成され、開先面１２Ａｆの反対側のリブ１２ｒの下側座面１２ｈｂにはボルト挿通孔１２ｃｂが形成されている。
【００３３】
図１０において、ボルト挿通孔１２ｃｔのパネル右端からの距離Ｌ１２１は、他の３箇所のボルト孔の位置よりも、窪み部１２ａの中央寄りに位置している。
即ち、下側のボルト挿通孔１２ｃｂのパネル右端からの距離Ｌ１２３よりも図示の右側に位置する。従って、上側のボルト挿通孔１２ｃｔを含む前記座面１２ｈｔは下側の座面１２ｈｂよりも長く形成されている。
【００３４】
その理由として、前記屋根部分３の第１の水平部材３１と前述の上段側の第１の柱部材１１と当該第２の柱部材１２とを貫通ボルトＢｖ２（図３を用いて後述する）で接続する際に、上段側の第１の柱部材１１を形成するパネル１１Ａの前記垂直座面１１ｖに貫通ボルトＢｖ２が干渉、或いは接触させないためである。
【００３５】
前記開先面１２Ａｆには中央部に開先面１２Ａｆに沿って所定の深さのシアコッター用溝部１２ｄが形成されている。
尚、図１０におけるＸ−Ｘ断面は、実質的に前記第１の柱部材１１を構成するパネル１１Ａの同断面と同様であるので図示を省略する。
【００３６】
第２の柱部材１２を構成するもう一方のパネル１２Ｂ（図１１参照）は、上述のパネル１２Ａに対して、左右対称であるので以降の説明は省略する。
【００３７】
次に、図１２を参照して第３の柱部材１３及び第３の柱部材１３を構成するパネル１３Ａについて説明する。
【００３８】
図１０及び図１１で示した第２の柱部材のパネル１２Ａ、１２Ｂは開先面１２ｆと反対側で、上方のボルト座面のみが他の座面よりも長い、非対称の形状であった。
それに対して、図１２のパネル１３Ａは４箇所にボルト挿通孔１３ｃを穿孔させたボルト座面１３ｈの長さが全て等しく、座面１３ｈの輪郭を含む窪み部１３ａの形状は、その窪み部１３ａの中心点Ｏを通る横軸Ｘ及び縦軸Ｙに対して線対称であると共に、パネル１３Ａ全体の形状が、横軸Ｘに対して線対称となっている。
従って、同一のパネル１３Ａを２枚用いれば、第３の柱部材１３は形成される。
【００３９】
図１２における左端には４５度の傾斜を有する開先面１３Ａｆが形成され、その開先面１３Ａｆの中央にはシアコッター用溝部１３ｄが形成されている。
【００４０】
また、Ｘ軸での断面形状は前述のパネル１１Ａと実質的に同様であるので、以降の説明を省略する。
【００４１】
次に図１３〜図１７を参照して梁部材２１について詳述する。
図１３は梁部材２１を立体的に表した斜視図である。
【００４２】
梁部材２１は、図１４に示すように中心点を通る縦軸Ｙ、及び横軸Ｘに対して線対称である。周縁部にはリブ２１ｒが連続して形成され、そのリブ２１ｒを除く領域が、底が平な窪み部２１ａとなっている。
【００４３】
又、リブ２１ｒの図示の左右の垂直部の上下のコーナー部４箇所には垂直のボルト座面２１ｖがパネルの中央部に迫り出すように形成されている。
【００４４】
各座面２１ｖには図示の水平方向にリブ２１ｒを貫通するようにボルト挿通孔２１ｂが形成されている。
【００４５】
リブ２１ｒの上下の水平部には、垂直方向に図示の例では合計８箇所の垂直のボルト挿通孔２１ｃが形成されている。
【００４６】
図１５は図１４の縦軸Ｙに平行な断面を示した図であり、図１６は梁部材（パネル）２１に埋設される主筋２１Ｓｍおよび副筋２１Ｓｓをコンクリートを透して示した図であり、図１７はその主筋２１Ｓｍの配置を立体的に示した斜視図である。
【００４７】
主筋２１Ｓｍは１本が、コ字状に形成され、そのコ字状の主筋２１Ｓｍ４本を互い違いにリブ２１ｒの厚み方向に均一に配置されている。
【００４８】
一方、副筋２１Ｓｓはパネルの平面部の厚み方向の略中央に図１６に示すように縦・横に複数を格子状に組んでコンクリート中に埋設される。
【００４９】
尚、図示はしていないが、柱部分１を構成する第１の柱部材１１、第２の柱部材１２、第３の柱部材１３を構成する夫々のパネル１１Ａ、１１Ｂ、１２Ａ、１２Ｂ、１３Ａにも上述のようなコ字状の主筋（１パネルにつき２本）、及び複数の格子状の副筋は同様に用いられている。
【００５０】
次に図１８〜図２０を参照して第１の水平部材を説明する。
図１８は第１の水平部材３１を立体的に表した斜視図であり、矢印Ｔで示す面が屋根、又は床の上面側となる。尚、図１８には後述する図１９と同じ部位には同じ符号を付している。
【００５１】
第１の水平部材３１は、図１９に示すように中心点を通る縦軸Ｙ、及び横軸Ｘに対して線対称である。周縁部にはリブ３１ｒが連続して形成され、そのリブ３１ｒを除く領域が、底が平な窪み部３１ａとなっている。尚、その窪み部３１ａは窪み部３１ａを略均等で三つに区分するように２本の中央リブ３１０ｒが形成されている。
【００５２】
第１の水平部材３１を側方から視た図２０において、前記中央リブ３１０ｒの投影部を含み、上面３１Ｔから下方の所定の高さＨの領域にモルタルを盛り込んでなるシアコッター用溝部３１ｄが両側部（図示の例では合計４箇所）に形成されている。そしてそのシアコッター用溝部３１ｄには、一箇所につき、２つのボルト孔（合計８箇所）３１ｂが両側のリブ３１ｒを貫通するように形成されている（図１９も参照）。
【００５３】
第１の水平部材３１の長手方向の両端部で、横軸Ｘ上およびその横軸Ｘからやや離れた位置には、ボルト挿通孔３１ｃが上面３１Ｔから下面に向けて貫通するように形成されている。
【００５４】
尚、図示はしていないが、当該第１の水平部材３１にも梁部材２１と同様の鉄筋（主筋、副筋）が埋め込まれている。
【００５５】
図２１は複数（図示の例では３個）の水平部材３１を接触させるように並べ、接続用のボルトＢｈ２で互いに締結している状態を示し、下面側から見た平面図である。
図中、符号３１ｍは前記シアコッター用溝部３１ｄにモルタルを流し込み、成形したシアコッターを示す。
【００５６】
図２２は、図２１のＸ-Ｘ断面を示した図であり、図中の符号３１Ｓｍは埋設した鉄筋のうち主筋を、符号３１Ｓｓは同副筋を示す。
【００５７】
次に図２３から図２５を参照して、第２の水平部材３２を説明する。
図２３は第２の水平部材３２を立体的に表した斜視図であり、矢印Ｔで示す面が屋根、又は床の上面側となる。尚、図２３には後述する図２４と同じ部位には同じ符号を付している。
【００５８】
第２の水平部材３２は、図２４に示すように中心点を通る縦軸Ｙに対して線対称である。周縁部にはリブ３２ｒが連続して形成され、そのリブ３２ｒを除く領域が、底が平な窪み部３２ａとなっている。尚、その窪み部３２ａは窪み部３２ａを略均等で三つに区分するように２本の中央リブ３２０ｒが形成されている。
図２４のリブ３２ｒの下辺側には、左右両端部近傍と、中央リブ３２０ｒの下方の領域とにリブが厚くなった領域３２２ｒが４箇所に形成されている。
そのリブが厚くなった領域３２２ｒの形成された、図２４の下側が、屋根、および床を形成する際の縁部（端部）となる。
【００５９】
第２の水平部材３２を側方から視た図２５において、前記中央リブ３２０ｒの投影部を含み、上面３２Ｔから下方の所定の高さＨの領域にモルタルを盛り込んでなるシアコッター用溝部３２ｄが２箇所、前記リブが厚くなった領域３２２ｒの形成された側部とは反対側の側部に形成されている。そしてそのシアコッター用溝部３２ｄには、一箇所に付き２つのボルト孔（合計４箇所）３２ｂが片側のリブ３１ｒのみを貫通するように形成されている（図２４も参照）。
【００６０】
第２の水平部材３２の長手方向の両端部、及び前記リブが厚くなった領域３２２ｒには、梁部材２１と結合するための複数（図示の例では１０箇所）のボルト挿通孔３２ｃが第２の水平部材３２の上面３２Ｔから下面に向けて貫通するように形成されている。図示は省略するがこのボルト挿通孔３２ｃにはボルトＢＶ３が挿通されている。
【００６１】
尚、図示はしていないが、当該第２の水平部材３２にも梁部材２１と同様の鉄筋（主筋、副筋）が埋め込まれている。
【００６２】
次に、図２〜図４、及び図９を参照して、各部材の組立て方法について説明する。
尚図３は、図２の円Ｐで囲った部分を詳細に示した図であり、図４は図３に対応する斜視図である。
【００６３】
先ず、柱部１を以下の手順によって組立てる。
図２における第３の柱部材１３の内の最下段は、予め建設現場等で２枚のパネル１３Ａを、例えば図示しない直角治具で前述の開先面１３Ａｆが互いに当接するようにセットし、シアコッター用溝部１３ｄにモルタルを流し込み、直角の柱部材１３に形成する。
【００６４】
次に、形成された直角の柱部材１３を図９の下部に示すように、縦にセットする。その直角の柱部材１３の、図９に示す左側のパネル１３Ａの上端面に薄い板金製の固定補助金物Ｇを載置する。パネル１３Ａには前述したようにボルト挿通孔１３ｃが形成されている。
一方、前記固定補助金物Ｇにも位置決めと面外座屈止め用孔Ｈｇが形成されており、その孔Ｈｇとボルト挿通孔１３ｃとに、図示しない通しボルトを挿通させ、一旦固定する。
【００６５】
パネルの上端面に固定された前記固定補助金物Ｇは、図８に明示されている通り、全体的にＬ字状に形成された２つのアームＧａ、Ｇｂより成り、いずれのアームＧａ、Ｇｂもボルト挿通孔１３ｃと一致する位置に孔Ｈｇが形成されている。したがって、上下の柱部材１１、１２、１３をボルトで締結できる。
【００６６】
次に、パネル１３Ａ−２の開先面１３Ａｆに図示しない別のパネル（１３Ａ−２）の開先面を突き合わせ、上述と同様の方法で図示の左側のパネル１３Ａ、１３Ａ−２同士をボルトＢｖ１によって締結させる。
【００６７】
同様の方法で、下から３段目の、第３の柱部材１３までを組上げる。更に同様の方法で、第３の柱部材１３の上に、第２の柱部材を前述のパネル１２Ａ、１２Ｂを用いて組上げていく。
最後に、各段の左右のパネルの開先面（合わせ目）に形成されたシアコッター用溝部にモルタルを流し込み、左右のパネル同士の結合を確実なものとする。
【００６８】
次に、第１の柱部材１１及び梁部材２１を夫々２個づつ用いて屋根の下の部分（図２においてＱで示した単位）を組立てる方法について説明する。
【００６９】
図２及び図３を参照して、第１の柱部材１１と梁部材２１とをボルトＢｈ１を用いて接続する。同様にして残る梁部材２１及び、反対側の柱部材１１を接続して、屋根の下の部分（図２において矢印Ｑで示した単位）を一体に組立てる。
尚、第１の柱部材１１は現場等で２枚のパネル１１Ａと１１Ｂを用いてＬ字状に組立てておくことが好ましい。
そのようにして、屋根の下の部分Ｑを４組用意する。
【００７０】
屋根の下の部分Ｑを４セット組立てた後、その４セットの屋根の下の部分Ｑの上面に屋根部分３を構築する。
【００７１】
今、図１に示す建物を組立てる場合を説明する。まず、梁部材２１および隅角部の柱部分１０を用いて所定の地上に基礎を構築し、次いでその上に水平部材３１、３２を用いて床を構築する。しかしながら、この基礎および床は必ずしも構築せずとも、別の種類の基礎と床を設けてもよい。
そして４本の柱部分１を建て込み、それらの柱部分１の間に梁部分２をセットする。図示の例ではそれぞれ２つの梁部材２１を組立てる。その後、天井を構成する水平部材３１、３２を敷き並べてセットすればよい。
尚、図示の例では第１の水平部材３１を４枚幅方向に並べた場合の合計幅は梁部材２１の長さに等しく作られている。
【００７２】
相対する２組の屋根の下の部分Ｑの梁部材２１の上面に第１の水平部材３１を敷き詰め終わった時点で、第１の水平部材３１の上方から、第１の水平部材３１及び梁部材２１のボルト挿通孔に互いの部材３１、２１を貫通するように通しボルトＢｖ３を挿通させ、ナットＮを締めこんで第１の水平部材３１を梁部材２１に固着させる。
【００７３】
その後、屋根の下の部分Ｑにおける、前記第１の柱部材１１の上面の右端、即ち、既に梁部材２１に固定された第１の水平部材３１の隣に、別の第１の水平部材３１を全側面が接するように載置し、更にその左隣に同じく全側面が接するように第２の水平部材３２を載置する。尚、第１及び第２の水平部材の幅の合計は第１の柱部材のパネル１１Ａの幅と等しく構成されている。
【００７４】
第１及び第２の水平部材３１、３２を第１の柱部材１１の上面に載置した後、第２の通しボルトＢｖ２を第１及び第２の水平部材３１、３２と、第１の柱部材１１と、第２の柱部材１２とを３部材同時に貫くように貫通させ、ナットＮを締め込んで、柱部分１と梁部分２と水平部分３とを１体に組上げる。なお、外側の通しボルトＢｖ２は水平部材３２と柱部材１１とを結合するボルトと柱部材１１、１２を結合する別のボルトとの２本にしてもよい。
【００７５】
ここで、上述してきた各種パネル材の質量は、単体で約６０ｋｇとすることが好ましい。
使用される個数が少ないものでも、最大で約１００ｋｇとすることが、クレーン等の重機の使用を排除する上で好ましい。
【００７６】
係る構成を具備する本実施形態によれば、各水平部材間がシアコッター３１ｍによって強固に結束され、地震等の外力にも十分な耐力を発揮する。
【００７７】
外力が作用した際に、特に応力の集中する柱部材と梁部材の交差する隅角部の柱部材１１、１２及び屋根や床等の水平部材３１、３２は上下に３つ以上の部材３１及び又は３２、１１、１２を１本の通しボルトＢｖ２によって拘束するので、局部的な破壊を防ぎ、強度が向上する。
【００７８】
各部材の単体（パネル）の質量は人力又は軽微な揚重機具で持ち運べる値以下であるので、運搬や組立てに際してはクレーン等の重機の使用を排除出来る。
【００７９】
柱部材１１、１２、１３を形成するにあたり、下段側の上方に上段側を積み上げる際に、固定補助金物Ｇを位置決め及び面外座屈防止として用いているため、柱の強度を高めるとともに組立が容易であり組立て精度が向上する。
【００８０】
図示の実施形態はあくまでも例示であり、本発明の技術的範囲を限定する趣旨の記述ではないことを付記する。また本発明では２階の建物にも実施できる。
【図面の簡単な説明】
【００８１】
【図１】本発明の実施形態によるメインセル全体の構成を示した斜視図。
【図２】メインセルの構成の一部を示した正面図。
【図３】図２において、円Ｐで囲った部分を詳細に示した部分正面図。
【図４】図３に対応する斜視図。
【図５】本発明の実施形態における第１の柱部材を構成するパネルの正面図。
【図６】図５のＸ-Ｘ断面図。
【図７】本発明の実施形態における第２の柱部材を構成するパネルの斜視図。
【図８】本発明の実施形態における第１の柱部材の斜視図。
【図９】本発明の実施形態における柱部を組立てる際の工程を説明するための斜視図。
【図１０】本発明の実施形態における第２の柱部材を構成する一方のパネルの正面図。
【図１１】本発明の実施形態における第２の柱部材を構成する他方のパネルの正面図。
【図１２】本発明の実施形態における第３の柱部材を構成するパネルの正面図。
【図１３】本発明の実施形態における梁部材の斜視図。
【図１４】本発明の実施形態における梁部材の正面図。
【図１５】図１４に対応する縦断面図。
【図１６】本発明の実施形態における梁部材に埋設される鉄筋の配置を示した透し図。
【図１７】本発明の実施形態における梁部材に埋設される主筋の配置を示した立体図。
【図１８】本発明の実施形態における第１の水平部材の形状を立体的に示した斜視図。
【図１９】本発明の実施形態における第１の水平部材の下面図。
【図２０】本発明の実施形態における第１の水平部材の側面図。
【図２１】本発明の実施形態における複数の水平部材を接続する方法を説明する説明図。
【図２２】図２１のＸ-Ｘ断面図。
【図２３】本発明の実施形態における第２の水平部材の形状を立体的に示した斜視図。
【図２４】本発明の実施形態における第２の水平部材の下面図。
【図２５】本発明の実施形態における第２の水平部材の側面図。
【符号の説明】
【００８２】
１・・・柱部分
２・・・梁部分
３・・・水平部分
１１・・・第１の柱部材
１１ｆ・・・開先面
１１ｄ・・・シアコッター用溝部
１２・・・第２の柱部材
１３・・・第３の柱部材
２１・・・梁部材
３１・・・第１の水平部材
３１ｍ・・・シアコッター
３２・・・第２の水平部材
Ｂｖ１・・・第１の通しボルト
Ｂｖ２・・・第２の通しボルト
Ｂｖ３・・・第３の通しボルト
【図１】
2005213748.tif 000003
【図２】
2005213748.tif 000004
【図３】
2005213748.tif 000005
【図４】
2005213748.tif 000006
【図５】
2005213748.tif 000007
【図６】
2005213748.tif 000008
【図７】
2005213748.tif 000009
【図８】
2005213748.tif 000010
【図９】
2005213748.tif 000011
【図１０】
2005213748.tif 000012
【図１１】
2005213748.tif 000013
【図１２】
2005213748.tif 000014
【図１３】
2005213748.tif 000015
【図１４】
2005213748.tif 000016
【図１５】
2005213748.tif 000017
【図１６】
2005213748.tif 000018
【図１７】
2005213748.tif 000019
【図１８】
2005213748.tif 000020
【図１９】
2005213748.tif 000021
【図２０】
2005213748.tif 000022
【図２１】
2005213748.tif 000023
【図２２】
2005213748.tif 000024
【図２３】
2005213748.tif 000025
【図２４】
2005213748.tif 000026
【図２５】
2005213748.tif 000027